【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
ライセンスされるデジタルコンテンツアイテムの遠隔インストールを始動する方法であって、
第１のユーザに関連するライセンスされるコンピューティングマシンにおいて、ユーザ入力を受信するステップであって、前記ユーザ入力は前記ライセンスされるデジタルコンテンツアイテムをインストールすべき、第２のユーザに関連し第１のユーザに関連しない、ライセンスされないコンピューティングマシンを識別する、ステップと、
前記ユーザ入力を受信するステップに応答して、前記ライセンスされるコンピューティングマシンから認可サービスコンピューティングマシンに、前記ライセンスされるデジタルコンテンツアイテムに対するライセンスを前記ライセンスされないコンピューティングマシンに移転するための要求を送信するステップと、
前記ユーザ入力を受信するステップに応答して、前記ライセンスされるデジタルコンテンツの前記ライセンスされないコンピューティングマシンにおける利用のために、前記ライセンスされないコンピューティングマシンへの、前記ライセンスされるデジタルコンテンツアイテムの配信を自動的に始動するステップと
を含む、方法。
【請求項２】
前記ライセンスが、前記ライセンスされないコンピューティングマシンに移転される間、前記ライセンスされるデジタルコンテンツアイテムが、前記ライセンスされるコンピューティングマシン上で実行されることを防止するステップ
をさらに含む、請求項１に記載の方法。
【請求項３】
識別することが、前記ライセンスされないコンピューティングマシンを、前記ユーザに知られている、および、前記ユーザに関連付けられない、複数のライセンスされないコンピューティングマシンから選択することを含む、請求項１に記載の方法。
【請求項４】
配信を始動するステップが、コンテンツ配信ネットワークに、前記ライセンスされるデジタルコンテンツアイテムを、前記ライセンスされないコンピューティングマシンに配信するための要求を送信するステップを含む、請求項１に記載の方法。
【請求項５】
配信を始動するステップが、前記ライセンスされるデジタルコンテンツアイテムを、直接、前記ライセンスされるコンピューティングマシンから前記ライセンスされないコンピューティングマシンに配信するステップを含む、請求項１に記載の方法。
【請求項６】
配信を始動するステップが、ピアツーピアネットワークの１つまたは複数のピアコンピューティングマシンに、前記ライセンスされるデジタルコンテンツアイテムの少なくとも一部分を、前記ライセンスされないコンピューティングマシンに配信するための要求を送信するステップを含む、請求項１に記載の方法。
【請求項７】
前記ライセンスは、前記ライセンスされないコンピューティングマシンに、前記ライセンスされるコンピューティングマシンに関連付けられるユーザが、前記ライセンスされないコンピューティングマシンからサインアウトするまで移転される、請求項１に記載の方法。
【請求項８】
前記ライセンスは、前記ライセンスされないコンピューティングマシンに、指定された期間の間移転され、前記指定された期間の満了時に、前記ライセンスは、前記ライセンスされるコンピューティングマシンに移転されて戻される、請求項１に記載の方法。
【請求項９】
ライセンスされるデジタルコンテンツアイテムの入手方法であって、
ライセンスされるコンピューティングマシンにおいて受信されたユーザ入力によって識別されたライセンスされないコンピューティングマシンにおいて、前記ライセンスされるデジタルコンテンツアイテムを受信するステップであって、前記ライセンスされないコンピューティングマシンと前記ライセンスされるコンピューティングマシンとは異なるユーザに関連付けられる、ステップと、
前記ライセンスされるデジタルコンテンツアイテムのライセンスが、前記ライセンスされないコンピューティングマシンに移転されているとして有効性を確認されない場合に、前記ライセンスされないコンピューティングマシンで、前記ライセンスされるデジタルコンテンツアイテムの実行を防止するステップと、
前記ライセンスされるデジタルコンテンツアイテムの前記ライセンスが、前記ライセンスされないコンピューティングマシンに移転されているとして有効性を確認される場合に、前記ライセンスされないコンピューティングマシンで、前記ライセンスされたデジタルコンテンツアイテムの実行を可能にするステップと
を含む、方法。
【請求項１０】
前記ライセンスは前記ライセンスされるコンピューティングマシンから移転される、請求項９に記載の方法。
【請求項１１】
請求項９に記載の方法であって、前記ライセンスは、前記ライセンスされないコンピューティングマシンから受信された、前記ライセンスされるコンピューティングマシンに関連付けられるユーザの証明書を有効にする認可サービスコンピューティングマシンにより有効性を確認される、方法。
【請求項１２】
請求項９に記載の方法であって、
前記ライセンスされるデジタルコンテンツアイテムに対するライセンスを取得するためのオファーを提供するステップと、
前記ライセンスされないコンピューティングマシンが、前記ライセンスされるデジタルコンテンツアイテムに対する前記ライセンスを取得することに応答して、前記ライセンスされないコンピューティングマシンで、前記ライセンスされるデジタルコンテンツアイテムの実行を可能にするステップ
をさらに含む、方法。
【請求項１３】
請求項９に記載の方法であって、
前記ライセンスされないコンピューティングマシンのビジターキャッシュのリソースが、異なるデジタルコンテンツアイテムに対して指定された状態になる場合に、前記ライセンスされないコンピューティングマシンから、前記ライセンスされるデジタルコンテンツアイテムを除去するステップをさらに含む、方法。
【請求項１４】
請求項９に記載の方法であって、前記ライセンスされるコンピューティングマシンに関連付けられるユーザが、前記ライセンスされないコンピューティングマシンからサインアウトすることに応答して、前記ライセンスは、前記ライセンスされないコンピューティングマシンから移転される、方法。
【請求項１５】
ライセンスされるデジタルコンテンツアイテムに対するライセンスの移転を認可する方法であって、
前記ライセンスされるコンピューティングマシンにおいて受信されるユーザ入力により識別されたライセンスされないコンピューティングマシンへ、前記ライセンスされるデジタルコンテンツアイテムに対するライセンスを移転するために、認可サービスコンピューティングマシンで、第１のユーザに関連付けられるライセンスされるコンピューティングマシンから要求を受信するステップであって、前記ライセンスされないコンピューティングマシンは第２のユーザに関連づけられ、前記第１のユーザには関連付けられない、ステップと、
前記ライセンスされるコンピューティングマシンが、前記ライセンスされるデジタルコンテンツアイテムに対するライセンスを有し、前記ライセンスされるデジタルコンテンツアイテムが前記ライセンスされるコンピューティングマシンで実行されない場合に、前記ライセンスされるデジタルコンテンツアイテムに対するライセンスの、前記ライセンスされないコンピューティングマシンへの移転を承認するステップと、
前記ライセンスされるデジタルコンテンツアイテムに対するライセンスの、前記ライセンスされないコンピューティングマシンへの移転の有効性を確認するために、前記認可サービスコンピューティングマシンで、前記ライセンスされないコンピューティングマシンから要求を受信するステップであって、前記要求は、前記ライセンスされるコンピューティングマシンに関連付けられる前記第１のユーザの証明書を含む、ステップと、
前記第１のユーザの証明書が有効性である場合に、前記ライセンスされないコンピューティングマシン上での、前記ライセンスされるデジタルコンテンツアイテムの実行を可能とするライセンスの、ライセンスされないコンピューティングマシンへの移転の有効性を確認するステップと
を含む方法。
【請求項１６】
請求項１５に記載の方法であって、
前記ライセンスされるデジタルコンテンツアイテムが前記ライセンスされるコンピューティングマシン上で実行される場合に、前記ライセンスされるデジタルコンテンツアイテムに対するライセンスの、前記ライセンスされないコンピューティングマシンへの移転を無効にするステップをさらに含み、前記ライセンスされないコンピューティングマシンは、前記ライセンスされないコンピューティングマシン上の、前記ライセンスされるデジタルコンテンツアイテムの実行を防止する、方法。
【請求項１７】
請求項１５に記載の方法であって、前記要求は、前記ライセンスされないコンピューティングマシンへの前記ユーザのサインインに応答して送信される、方法。
【請求項１８】
請求項１５に記載の方法であって、
前記ライセンスされないコンピューティングマシンへの、前記ライセンスされるデジタルコンテンツアイテムに対するライセンスの移転を承認することに応答して、前記ライセンスされないコンピューティングマシンへの前記ライセンスされるデジタルコンテンツアイテムの配信を始動するステップをさらに含む、方法。
【請求項１９】
ライセンスされるコンピューティングマシンであって、
論理マシンと、
記憶マシンであって、前記論理マシンにより
第１のユーザに関連付けられる前記ライセンスされるコンピューティングマシンにおいて、ユーザ入力を受信することであって、前記ユーザ入力はライセンスされるデジタルコンテンツアイテムをインストールすべき、第２のユーザに関連付けられ第１のユーザに関連付けられない、ライセンスされないコンピューティングマシンを識別する、受信することと、
前記ユーザ入力を受信することに応答して、前記ライセンスされるデジタルコンテンツアイテムに対するライセンスを、前記ライセンスされないコンピューティングマシンに移転するために、前記ライセンスされるコンピューティングマシンから認可サービスコンピューティングマシンに、要求を送信することと、
前記ユーザ入力を受信することに応答して、前記ライセンスされるデジタルコンテンツアイテムの前記ライセンスされないコンピューティングマシンにおける利用のために、前記ライセンスされないコンピューティングマシンへの、前記ライセンスされるデジタルコンテンツアイテムの配信を自動的に始動することと
を実行可能な命令を有する記憶マシンと
を備える、ライセンスされるコンピューティングマシン。
【請求項２０】
認可サービスコンピューティングマシンであって、
論理マシンと、
記憶マシンであって、前記論理マシンにより
ライセンスされるデジタルコンテンツアイテムに対するライセンスを、ライセンスされるコンピューティングマシンにおいて受信されるユーザ入力により識別された、前記ライセンスされないコンピューティングマシンに移転するために、第１のユーザに関連付けられる前記認可コンピューティングマシンにおいて、ライセンスされるコンピューティングマシンから要求を受信することであって、前記ライセンスされないコンピューティングマシンは第２のユーザに関連付けられ、第１のユーザには関連付けられていない、受信することと、
前記ライセンスされるコンピューティングマシンが、前記ライセンスされるデジタルコンテンツアイテムンに対するライセンスを有し、前記ライセンスされるデジタルコンテンツアイテムが、前記ライセンスされるコンピューティングマシンで実行されない場合に、前記ライセンスされるデジタルコンテンツアイテムに対するライセンスを、前記ライセンスされないコンピューティングマシンへ移転することを承認することと、
前記ライセンスされるデジタルコンテンツアイテムに対する前記ライセンスの、前記ライセンスされないコンピューティングマシンへの移転を有効にするために、前記認可サービスコンピューティングマシンにおいて、前記ライセンスされないコンピューティングマシンからの要求を受信することであって、前記要求は前記ライセンスされるコンピューティングマシンに関連付けられる前記第１のユーザの証明書を含む、受信することと、
前記第１のユーザの証明書が有効である場合に、前記ライセンスされないコンピューティングマシンで、前記ライセンスされるデジタルコンテンツアイテムの実行を可能にする、前記ライセンスの、前記ライセンスされないコンピューティングマシンへの移転を有効にすることと、
を実行可能な命令を有する記憶マシンと
を備える、認可サービスコンピューティングマシン。
の方法。